(57)【要約】【課題】水の侵入を容易に防止することができるコストの低い操作つまみを提供する。【解決手段】取付穴に挿入される柱部３と取付穴の径よりも太径に形成されたつまみ部２とを有し、柱部３が気密用Ｏリング６取付用の、外周を一周するＯリング取付溝３１と、柱部３を取付穴に挿入された状態に保持する抜止め部材４嵌め込み用の抜止部材嵌込溝３２と、機器に設けられた第１の検出スイッチ７０につまみ部２の回転操作に応じて係合する係合凹部３３とを有するものであるつまみ本体１と、Ｏリング取付溝３１に取り付けられて柱部外周と取付穴内壁との間を気密に保つ気密用Ｏリング６と、抜止部材嵌込溝３２に嵌め込まれる抜止め部材４とを備える。【選択図】        図１
2006024424.tif 000002
【特許請求の範囲】
【請求項１】
機器筐体に設けられた取付穴に挿入された状態に取り付けられる操作つまみにおいて、
前記取付穴に挿入される柱部と該取付穴の径よりも太径に形成されたつまみ部とを有し、前記柱部が気密用Ｏリング取付用の、外周を一周するＯリング取付溝と、該柱部を該取付穴に挿入された状態に保持する抜止め部材嵌め込み用の抜止部材嵌込溝と、前記機器に設けられた第１の検出スイッチに前記つまみ部の回転操作に応じて係合する係合凹部とを有するものであるつまみ本体と、
前記Ｏリング取付溝に取り付けられて前記柱部外周と前記取付穴内壁との間を気密に保つ気密用Ｏリングと、
前記抜止部材嵌込溝に嵌め込まれる抜止め部材とを備えたことを特徴とする操作つまみ。
【請求項２】
前記抜止め部材が、機器筐体に設けられた、凹凸を繰り返して前記取付穴の周囲を一周するクリック受部に弾性的に接して前記つまみ部の回転操作にクリック感を与えるクリック用腕を有することを特徴とする請求項１記載の操作つまみ。
【請求項３】
前記つまみ本体が前記機器筐体に出入りする方向に遊装されたものであって該つまみ本体を、該つまみ本体が前記取付穴から抜け出る方向にばね付勢するばね部材を備え、
前記つまみ本体が、前記取付穴に挿入された柱部の先端に、つまみ部の押圧操作に応じて、前記機器に設けられた第２の検出スイッチを操作する操作凸部を有することを特徴とする請求項１記載の操作つまみ。
【請求項４】
前記操作凸部が、前記つまみ部を回転操作したときの回転軸から外れた部分に設けられ、前記機器に設けられた複数の第２の検出スイッチのうちの、前記つまみ部の押圧操作したときの該つまみ部の回転位置に応じた第２の検出スイッチを操作するものであることを特徴とする請求項３記載の操作つまみ。
【発明の詳細な説明】
【技術分野】
【０００１】
本発明は、機器筐体に取り付けられる操作つまみに関する。
【背景技術】
【０００２】
近年の科学技術の進歩に伴い、高度な性能を持つ様々な電子機器が登場し、日々その種類と数を増してきている。こうした電子機器には、電源の切り替え、あるいは感度や機能の選択を行うために、スイッチやつまみなど様々な操作部をその機体表面に備えているものが多いが、電子機器が使用される状況によってこのような操作部をそのまま使用するのは困難な場合がある。
【０００３】
例えば、水中写真をとるために水中でカメラを使用する場合、カメラを防水構造を持つ防水ケースにカメラを収納して使用すればよいが、このような防水ケースにカメラを入れたままカメラの操作つまみを操作すると、操作つまみの損傷や、操作つまみ付近のカメラと防水ケースの連結部分から水が侵入したり、操作つまみが操作不能になることが知られている。こうした事態を防ぐために、カメラの操作つまみの操作と同期して操作される操作装置を付加的に取り付けることによってカメラの操作つまみの操作を容易なものにすることが提案されている（例えば、特許文献１参照）。
【特許文献１】特開２００３−１０７５７０号公報
【発明の開示】
【発明が解決しようとする課題】
【０００４】
しかしながら、特許文献１に記載されている操作つまみの場合、操作つまみを構成する部品の数が多く構造が複雑なため、取り付けが煩雑な上、外部から水が入り込む可能性がある隙間が複数箇所存在するため、防水性に問題がある。また、構成要素となる部品の数が多いことは、コスト高につながる。
【０００５】
以上述べた問題は、カメラの操作つまみの操作を容易にするとともに防水性を保つ必要のある操作つまみについての問題であるが、この種の問題は、カメラの操作つまみ以外の機器の操作つまみについても生じる問題である。
【０００６】
本発明は、上記事情に鑑み、水の侵入を容易に防止することができるコストの低い操作つまみを提供することを目的とする。
【課題を解決するための手段】
【０００７】
上記目的を達成するための本発明の操作つまみは、
機器筐体に設けられた取付穴に挿入された状態に取り付けられる操作つまみにおいて、
上記取付穴に挿入される柱部と該取付穴の径よりも太径に形成されたつまみ部とを有し、上記柱部が気密用Ｏリング取付用の、外周を一周するＯリング取付溝と、該柱部を該取付穴に挿入された状態に保持する抜止め部材嵌め込み用の抜止部材嵌込溝と、上記機器に設けられた第１の検出スイッチに上記つまみ部の回転操作に応じて係合する係合凹部とを有するものであるつまみ本体と、
上記Ｏリング取付溝に取り付けられて上記柱部外周と上記取付穴内壁との間を気密に保つ気密用Ｏリングと、
上記抜止部材嵌込溝に嵌め込まれる抜止め部材とを備えたことを特徴とする。
【０００８】
本発明の操作つまみでは、操作つまみを構成する部品がつまみ本体、気密用Ｏリングおよび抜止め部材の３点さえあればよく、しかも構造が単純であるため、コストを低く抑えながら第１の検出スイッチのスイッチ切り替え操作をつまみ部の回転操作によって行うことができる。また、抜止め部材と、抜止め部材を嵌め込むためにつまみ本体の柱部に設けられた抜止部材嵌込溝とを備えることにより、操作つまみ取り付けのために機器筐体に設けるべき穴が、柱部が挿入される取付穴だけでよいため、外部から水が入り込む可能性がある隙間を最小限に抑えることができる。さらにつまみ本体の柱部上には気密用Ｏリングを取付けるためのＯリング取付溝を備えているため、Ｏリング取付溝に気密用Ｏリングを嵌め込みことによって気密性を高め、取付穴からの水の侵入を防ぐことができる。
【０００９】
また、本発明の操作つまみは、上記抜止め部材が、機器筐体に設けられた、凹凸を繰り返して上記取付穴の周囲を一周するクリック受部に弾性的に接して上記つまみ部の回転操作にクリック感を与えるクリック用腕を有するものであってもよい。
【００１０】
このようなクリック用腕を抜止め部材が備えることにより、本発明の操作つまみは、つまみ部の回転停止位置が第１の検出スイッチのスイッチ切り替えに応じた位置を含む所定の複数位置に制限されるため、操作つまみの操作感が良い。
【００１１】
また、本発明の操作つまみは、上記つまみ本体が前記機器筐体に出入りする方向に遊装されたものであってそのつまみ本体を、つまみ本体が上記取付穴から抜け出る方向にばね付勢するばね部材を備えるとともに、上記つまみ本体が、上記取付穴に挿入された柱部の先端に、つまみ部の押圧操作に応じて、上記機器に設けられた第２の検出スイッチを操作する操作凸部を有するものであってもよい。
【００１２】
このようなばね部材を備えることによりつまみ本体が機器筐体側に動かされる余地が与えられ、回転つまみが機器筐体側に動かされた際に操作凸部により第２の検出スイッチが押圧されるため、本発明の操作つまみは、回転操作の機能に加え押圧操作の機能も備えることができる。
【００１３】
また、回転操作の機能および押圧操作の機能を備えた操作つまみは、上記操作凸部が、上記つまみ部を回転操作したときの回転軸から外れた部分に設けられ、上記機器に設けられた複数の第２の検出スイッチのうちの、上記つまみ部の押圧操作したときの該つまみ部の回転位置に応じた第２の検出スイッチを操作するものであってもよい。
【００１４】
このような操作凸部がつまみ部の回転軸から外れた部分に設けられることにより、回転操作に伴い操作凸部を移動できるため、操作凸部によって押圧する位置を変化させることができる。そのため、機器に複数の第２の検出スイッチが設けられている場合でもそれぞれの第２の検出スイッチに対して押圧操作を行うことができる。
【発明の効果】
【００１５】
本発明の操作つまみによれば、操作つまみ付近からの水の侵入を防ぐとともにコストを低く抑えることができる。
【発明を実施するための最良の形態】
【００１６】
［第一実施形態］
以下、本発明の操作つまみの一実施形態である第一の実施形態について説明する。
【００１７】
図１は、本実施形態の操作つまみの構成要素を明示するために、操作つまみを構成要素に分解して表した図である。
【００１８】
本実施形態の操作つまみＡの回転操作によって、基盤７を覆っている機器筐体５の外部から基盤７上に備えられている検出スイッチ７０のスイッチの切り替えが行われる。この検出スイッチ７０が本発明にいう第１の検出スイッチの一例に相当する。機器筐体５には、この操作つまみＡを取り付けるための円形の取付穴が備えられている。
【００１９】
以下この操作つまみＡを構成する構成要素について説明する。この操作つまみＡは、つまみ本体１、気密用Ｏリング６、およびつまみ本体１が機器筐体５の円形の取付穴から抜け出さないよう拘束するための抜止め部材４とから構成されている。
【００２０】
つまみ本体１は、回転操作を行うためのつまみ部２と、つまみ部２の裏側に固定され、つまみ部２と一体化している柱部３とからなる。柱部３は機器筐体５の取付穴に挿入され、つまみ部２は取付穴の径よりも太径に形成されているため、機器筐体５外部には、つまみ部２だけが現れる。
【００２１】
柱部３の側面上には、気密用Ｏリング６を取り付けるための、外周を一周するＯリング取付溝３１と、柱部を取付穴に挿入された状態に保持するために抜止め部材の一部が嵌め込まれる、２つの抜止め部材嵌込溝３２が設けられている。また、柱部３の末端部には、基盤上に設けられたスイッチ切り替えレバー７１を有するスイッチ７０に、つまみ部２の回転操作に応じて係合する係合凹部３３が備えられている。
【００２２】
抜止め部材４には、２本の突出部４１が備えられており、この２本の突出部４１が柱部３の側面上の２つの抜止め部材嵌込溝３２にそれぞれ嵌め込まれる。また抜止め部材４には、先端が丸く湾曲しているクリック用腕４２が備えられており、このクリック用腕４２が機器筐体５に設けられた、凹凸を繰り返して取付穴の周囲を一周するクリック受部５１に弾性的に接してつまみ部２の回転操作にクリック感を与える。
【００２３】
気密用Ｏリング６は、Ｏリング取付溝３１に嵌め込まれ、柱部３外周と取付穴内壁との間の気密性を高めることによって機器筐体５の取付穴からの水の侵入を防いでいる。
【００２４】
このようにこの操作つまみＡは、構成要素となる部品の数が少なく、単純な構造となっている。
【００２５】
図２は、本実施形態の操作つまみの構造を表した断面図である。
【００２６】
気密用Ｏリング６が図１に示されているＯリング取付溝３１にぴったりはまっており、柱部３外周と取付穴内壁との間の気密性を高め外部からの水の侵入を防いでいる。また抜止め部材４に備えられた２本の突出部４１が柱部３の側面上の、図１に示されている２つの抜止め部材嵌込溝３２にはまっているため、柱部３の回転とともに抜止め部材４もいっしょに回転する。この抜止め部材４が、機器筐体５に引っかかるため、つまみ本体は、図２において矢印で示されているように回転はできるが、機器筐体５上の円形の取付穴から抜け出さない構造になっている。
【００２７】
図３は、本実施形態の操作つまみを操作つまみの回転軸に垂直な断面の中で操作つまみの構造を表した図である。
【００２８】
柱部３の末端部に備えられている図１に示されている係合凹部３３に検出スイッチ７０のスイッチ切り替えレバー７１がはめ込まれ、図３に点線で示すように、つまみ本体の回転とともにスイッチ切り替えレバー７１が切り替わる構造となっている。
［第二実施形態］
以下、本発明の操作つまみの一実施形態である第二の実施形態について説明する。
【００２９】
以下、第一実施形態で説明した操作つまみＡの構成要素にさらにばねを加え、さらに柱部３が底面に操作凸部を備えることによって回転操作の機能に加え押圧操作の機能を有する操作つまみＡについて説明する。
【００３０】
図４は、上述のばねの位置を明示するために、操作つまみを構成要素に分解して表した構造図の中でばねを表した図である。
【００３１】
図４の操作つまみＡの構成要素において、図１に示されている操作つまみＡの構成要素と同一の構成要素には同一の符号を付して示し、同一の構成要素についての重複説明は省略する。本実施形態におけるつまみ本体１は、機器筐体５に出入りする方向に遊装されおり、つまみ本体１を、つまみ本体１が取付穴から抜け出る方向にばね付勢するばね８が、柱部３に巻きつきながら、つまみ部２と機器筐体５の間にはさまれる形で取り付けられている。また基盤７上には検出スイッチ７０に加え、押圧することによって操作されるタクトスイッチ９０が備えられている。このタクトスイッチ９０が本発明にいう第２の検出スイッチの一例に相当する。
【００３２】
図５は、ばねの位置を明示するために操作つまみの断面の中でばねを表した図である。
【００３３】
つまみ本体１が機器筐体５に出入りする方向に遊装され、さらにつまみ部２と機器筐体５の間にばね８を備えているため、図５で矢印で示されているように操作つまみＡが機器筐体５を押す方向に動く余地が与えられている。この余地を利用して、柱部３の底面に備えた操作凸部３４ａによりタクトスイッチ９０を押圧することができる。この操作凸部３４ａは、操作つまみＡの回転軸上にあるため、操作つまみＡの回転とともに操作凸部３４ａの位置が変化することはない。
【００３４】
図６は、タクトスイッチと操作凸部との位置関係を明示するために、操作つまみの回転軸に垂直な断面の中でタクトスイッチおよび操作凸部を表した図である。
【００３５】
操作凸部３４ａが操作つまみＡの回転軸上にあるため、タクトスイッチ９０の基盤７上での位置が、図６において黒く塗りつぶされている操作凸部３４ａの位置と重なっている。
［第三実施形態］
以下、本発明の操作つまみの一実施形態である第三の実施形態について説明する。
【００３６】
第三の実施形態では、タクトスイッチが基盤７上で複数個存在する場合に、回転軸から偏芯された位置に設けられた操作凸部を備えることによってこうした複数個のタクトスイッチに対しても押圧操作の機能を有する操作つまみＡについて説明する。
【００３７】
図７は、３個のタクトスイッチと操作つまみとの位置関係を明示するために、操作つまみを分解して表した構造図の中で３個のタクトスイッチを表した図である。
【００３８】
図７の操作つまみＡの構成要素において、図４に示されている操作つまみＡの構成要素と同一の構成要素には同一の符号を付して示し、同一の構成要素についての重複説明は省略する。図７に示すように基盤上には、検出スイッチ７０に加え、押圧することによって操作されるタクトスイッチ９１、９２、９３が備えられている。
【００３９】
図８は、回転軸から偏芯された位置に設けられた操作凸部を明示するために操作つまみの断面の中で操作凸部を表した図である。
【００４０】
図５に示されている操作つまみＡと同様、図８に示されている操作つまみＡも機器筐体５を押す方向に動く余地を持っている。さらに図８に示されている操作つまみＡでは、操作つまみＡの回転軸上にないこの操作凸部３４ｂを備えているため、操作つまみＡの回転とともに操作凸部３４ｂの位置が変化する。
【００４１】
図９は、３個のタクトスイッチと操作凸部との位置関係を明示するために、操作つまみの回転軸に垂直な断面の中で３個のタクトスイッチと操作凸部を表した図である。
【００４２】
図９において黒く塗りつぶされている操作凸部３４ｂの位置はタクトスイッチ９２の位置と重なっているが、操作つまみＡの回転によって、操作凸部３４ｂの位置を変化させることができる。そのため、タクトスイッチ９１、９２、９３のいずれを押圧するか選択する自由度があり、図４〜図６の操作つまみＡよりも多機能なスイッチとなっている。
【００４３】
以上が本実施形態における操作つまみＡの構造と機能の説明である。
【００４４】
なお本実施形態では、主につまみ本体１の形状に関する特徴について説明してきたが、形状以外でも例えば、つまみ部２を透明な材質で構成し、つまみ部２の回転、あるいは押圧によって選択された状態に応じて、つまみ部２が異なる色を発光するものであってもよい。
【図面の簡単な説明】
【００４５】
【図１】操作つまみを構成要素に分解して表した図である。
【図２】本実施形態の操作つまみの構造を表した断面図である。
【図３】本実施形態の操作つまみを操作つまみの回転軸に垂直な断面の中で操作つまみの構造を表した図である。
【図４】本実施形態の操作つまみを構成要素に分解して表した操作つまみの構造図の中でばねを表した図である。
【図５】ばねの位置を明示するために操作つまみの断面の中でばねを表した図である。
【図６】タクトスイッチと操作凸部との位置関係を明示するために、操作つまみの回転軸に垂直な断面の中でタクトスイッチおよび操作凸部を表した図である。
【図７】操作つまみを分解して表した構造図の中で３個のタクトスイッチを表した図である。
【図８】回転軸から偏芯された位置に設けられた操作凸部を明示するために操作つまみの断面の中で操作凸部を表した図である。
【図９】３個のタクトスイッチと操作凸部との位置関係を明示するために、操作つまみの回転軸に垂直な断面の中で３個のタクトスイッチと操作凸部を表した図である。
【符号の説明】
【００４６】
Ａ  操作つまみ
１  つまみ本体
２  つまみ部
３  柱部
３１  Ｏリング取付溝
３２  抜止め部材嵌込溝
３３  係合凹部
３４ａ、３４ｂ  操作凸部
４  抜止め部材
４１  突出部
４２  クリック用腕
５  機器筐体
５１  クリック受部
６  気密用Ｏリング
７  基盤
７０  検出スイッチ
７１  スイッチ切り替えレバー
８  ばね
９０、９１，９２，９３  タクトスイッチ
【図１】
2006024424.tif 000003
【図２】
2006024424.tif 000004
【図３】
2006024424.tif 000005
【図４】
2006024424.tif 000006
【図５】
2006024424.tif 000007
【図６】
2006024424.tif 000008
【図７】
2006024424.tif 000009
【図８】
2006024424.tif 000010
【図９】
2006024424.tif 000011